(57)【要約】【課題】記録媒体の情報の編集を行う際に、該編集によって更新される編集情報を記録媒体に追記する情報編集装置であって、記録媒体の情報の編集が残りどれだけ可能かについての情報をユーザに知らせることのできる情報編集装置を提供すること。【解決手段】ＤＶＤレコーダ１０は、ＤＶＤ−Ｒ４０の編集情報記録領域の未記録領域あるいは既記録領域の容量を計算するＣＰＵ１８と、ＣＰＵ１８の計算結果に基づいた情報を表示させる表示制御部１５とを有する。【選択図】図１
2008108331.tif 000002
【特許請求の範囲】
【請求項１】
記録媒体の情報の編集を行う際に、該編集によって更新される編集情報を前記記録媒体に追記する情報編集装置であって、
前記記録媒体における、前記編集情報を記録可能な領域の未記録領域あるいは既記録領域の容量を計算する制御部と、
前記記録媒体における、前記編集情報を記録可能な領域の未記録領域あるいは既記録領域の容量の、前記編集情報を記録可能な領域全体の容量に対する割合を、該割合を示す図形によって表示させる表示制御部とを有することを特徴とする情報編集装置。
【請求項２】
記録媒体の情報の編集を行う際に、該編集によって更新される編集情報を前記記録媒体に追記する情報編集装置であって、
前記記録媒体における、前記編集情報を記録可能な領域の未記録領域あるいは既記録領域の容量を計算する制御部と、
前記制御部の計算結果に基づいた情報を表示させる表示制御部とを有することを特徴とする情報編集装置。
【請求項３】
前記表示制御部は、前記記録媒体における、前記編集情報を記録可能な領域の未記録領域あるいは既記録領域の容量の、前記編集情報を記録可能な領域全体の容量に対する割合を表示させることを特徴とする請求項２に記載の情報編集装置。
【請求項４】
記録媒体の情報の編集を行う際に、該編集によって更新される編集情報を前記記録媒体に追記する情報編集装置の動作を制御するプログラムであって、
前記記録媒体における、前記編集情報を記録可能な領域の未記録領域あるいは既記録領域の容量を計算する第１ステップと、
前記第１ステップの計算結果に基づいた情報を表示させる第２ステップとを有することを特徴とするプログラム。
【請求項５】
前記第２ステップは、前記記録媒体における、前記編集情報を記録可能な領域の未記録領域あるいは既記録領域の容量の、前記編集情報を記録可能な領域全体の容量に対する割合を表示させることを特徴とする請求項４に記載のプログラム。
【請求項６】
前記第２ステップは、前記割合を、該割合を示す図形によって表示させることを特徴とする請求項５に記載のプログラム。
【発明の詳細な説明】
【技術分野】
【０００１】
本発明は、記録媒体の情報の編集を行う際に、該編集によって更新される編集情報を記録媒体に追記する情報編集装置に関する。また、本発明は、そのような情報編集装置の動作を制御するプログラムに関する。
【背景技術】
【０００２】
近年、ＤＶＤやハードディスクなどの記録媒体の情報の編集を行う情報編集装置の普及が進んでいる。情報編集装置は、ＤＶＤやハードディスクなどの記録媒体の情報の編集（ファイルの消去、ファイルの分割、プレイリスト編集、チャプター挿入など）を行う際に、該編集によって更新される編集情報（ファイルの配置情報など）を記録媒体に記録するのが一般的である。例えば、情報編集装置は、記録媒体に記録されたファイルの消去を行う際には、該消去するファイルを除いた新たなファイルの配置情報を記録媒体に記録する。
【０００３】
このように、情報編集装置が記録媒体の情報の編集を行う際に、該編集によって更新される編集情報を記録媒体に記録することで、物理的にファイルを消去したり分割したりすることなく編集処理を行うことができる。
【０００４】
そして、このような情報編集装置に関連する数多くの発明がなされており、その一例を特許文献１に見ることができる。
【０００５】
特許文献１に記載の発明は、記録媒体に、画像／音声素材情報とともに、該画像／音声素材の編集回数情報を記録する画像／音声記録装置に関するものである。これによると、ユーザは、記録媒体に記録された画像／音声素材の編集回数情報を参照することによって、よりオリジナルに近い画像／音声素材を容易に検索できることとなる。
【特許文献１】特開平９−０６５２７９号公報
【発明の開示】
【発明が解決しようとする課題】
【０００６】
ここで、情報編集装置は、記録媒体の情報の編集を行う際に、該編集によって更新される編集情報を記録媒体に追記する場合には、編集を行う度に、記録媒体に編集情報が追記されていくこととなる。そのため、編集を行う度に、記録媒体における、編集情報を記録可能な領域の未記録領域の容量が減少していくこととなり、編集回数には限界がある。
【０００７】
しかしながら、従来の、記録媒体の情報の編集を行う際に、該編集によって更新される編集情報を記録媒体に追記する情報編集装置は、記録媒体の情報の編集が残りどれだけ可能かについての情報をユーザに知らせることができなかった。そのため、ユーザは、突然記録媒体の情報の編集が不可能になったことに気づくこととなり、そのときには既にファイルの消去を行うことすらできず、利便性に問題があった。
【０００８】
又、特許文献１に記載の画像／音声記録装置については、記録媒体に、画像／音声素材ごとに独立の編集回数情報を、画像／音声素材情報とともに記録するものであるので、記録媒体の情報の編集が残りどれだけ可能かについての情報をユーザに知らせることのできるものではない。
【０００９】
上記の問題を鑑みて、本発明においては、記録媒体の情報の編集を行う際に、該編集によって更新される編集情報を記録媒体に追記する情報編集装置であって、記録媒体の情報の編集が残りどれだけ可能かについての情報をユーザに知らせることのできる情報編集装置を提供することを目的とする。また、本発明の他の目的は、そのような情報編集装置の動作を制御するプログラムを提供することである。
【課題を解決するための手段】
【００１０】
本発明においては、情報編集装置は、記録媒体の情報の編集を行う際に、該編集によって更新される編集情報を前記記録媒体に追記する情報編集装置であって、前記記録媒体における、前記編集情報を記録可能な領域の未記録領域あるいは既記録領域の容量を計算する制御部と、前記記録媒体における、前記編集情報を記録可能な領域の未記録領域あるいは既記録領域の容量の、前記編集情報を記録可能な領域全体の容量に対する割合を、該割合を示す図形によって表示させる表示制御部とを有することを特徴とする。
【００１１】
本発明においては、情報編集装置は、記録媒体の情報の編集を行う際に、該編集によって更新される編集情報を前記記録媒体に追記する情報編集装置であって、前記記録媒体における、前記編集情報を記録可能な領域の未記録領域あるいは既記録領域の容量を計算する制御部と、前記制御部の計算結果に基づいた情報を表示させる表示制御部とを有することを特徴とする。
【００１２】
本発明においては、上記構成の情報編集装置において、前記表示制御部は、前記記録媒体における、前記編集情報を記録可能な領域の未記録領域あるいは既記録領域の容量の、前記編集情報を記録可能な領域全体の容量に対する割合を表示させることが望ましい。
【００１３】
本発明においては、プログラムは、記録媒体の情報の編集を行う際に、該編集によって更新される編集情報を前記記録媒体に追記する情報編集装置の動作を制御するプログラムであって、前記記録媒体における、前記編集情報を記録可能な領域の未記録領域あるいは既記録領域の容量を計算する第１ステップと、前記第１ステップの計算結果に基づいた情報を表示させる第２ステップとを有することを特徴とする。
【００１４】
本発明においては、上記構成のプログラムにおいて、前記第２ステップは、前記記録媒体における、前記編集情報を記録可能な領域の未記録領域あるいは既記録領域の容量の、前記編集情報を記録可能な領域全体の容量に対する割合を表示させることが望ましい。
【００１５】
本発明においては、上記構成のプログラムにおいて、前記第２ステップは、前記割合を、該割合を示す図形によって表示させることとしてもよい。
【発明の効果】
【００１６】
本発明によると、記録媒体における、編集情報を記録可能な領域の未記録領域あるいは既記録領域の容量を計算して、該計算結果に基づいた情報を表示させるので、記録媒体の情報の編集が残りどれだけ可能かについての情報をユーザに知らせることができる。したがって、従来の情報編集装置において頻発した、ユーザが突然記録媒体の情報の編集が不可能になったことに気づくという問題の発生を防止できる。
【００１７】
また、本発明によると、記録媒体における、編集情報を記録可能な領域の未記録領域あるいは既記録領域の容量の、編集情報を記録可能な領域全体の容量に対する割合を表示させるので、ユーザは、記録媒体の情報の編集が残りどれだけ可能かについての情報を容易に把握できる。
【００１８】
また、本発明によると、記録媒体における、編集情報を記録可能な領域の未記録領域あるいは既記録領域の容量の、編集情報を記録可能な領域全体の容量に対する割合を、該割合を示す図形によって表示させるので、ユーザは、記録媒体の情報の編集が残りどれだけ可能かについての情報を視覚的に容易に把握できる。
【発明を実施するための最良の形態】
【００１９】
本発明の実施形態について、図面を用いて説明すれば以下の通りである。
【００２０】
図１は、本発明の実施形態に係るＤＶＤレコーダ１０（情報編集装置）の概略の構成を示すブロック図である。ＤＶＤレコーダ１０は、チューナ１１と、ＭＰＥＧエンコーダ１２と、ＤＶＤドライブ１３と、ＭＰＥＧデコーダ１４と、表示制御部１５と、受信部１６と、リモコン１７と、ＣＰＵ１８（制御部）とを有している。
【００２１】
なお、リモコン１７は、ＤＶＤレコーダ本体と独立して持ち運び可能である。そして、チューナ１１にはアンテナ２０が接続され、表示制御部１５にはテレビジョン装置３０が接続されている。また、ＤＶＤドライブ１３にはＤＶＤ−Ｒ４０（記録媒体）が載置されている。
【００２２】
ＤＶＤレコーダ１０が放送情報をＤＶＤ−Ｒ４０に記録する際の処理の流れは以下の通りである。まず、アンテナ２０が放送信号を受信し、これをチューナ１１へ伝達する。チューナ１１は、アンテナ２０から伝達された放送信号から所望のチャンネルの放送信号を抽出し、これをＭＰＥＧエンコーダ１２へ伝達する。ＭＰＥＧエンコーダ１２は、チューナ１１から伝達された放送信号に対するエンコード（圧縮）を行い、得られた記録信号をＤＶＤドライブ１３へ伝達する。ＤＶＤドライブ１３は、ＭＰＥＧエンコーダ１２から伝達された記録信号をＤＶＤ−Ｒ４０に記録する。
【００２３】
また、ＤＶＤレコーダ１０がＤＶＤ−Ｒ４０に記録された情報を再生する際の処理の流れは以下の通りである。まず、ＤＶＤドライブ１３がＤＶＤ−Ｒ４０に記録された記録信号を読み出し、これをＭＰＥＧデコーダ１４へ伝達する。ＭＰＥＧデコーダ１４は、ＤＶＤドライブ１３から伝達された記録信号に対するデコード（伸長）を行い、得られた再生信号を表示制御部１５へ伝達する。表示制御部１５は、ＭＰＥＧデコーダ１４から伝達された再生信号に基づく情報をテレビジョン装置３０に表示させる。
【００２４】
受信部１６は、リモコン１７から送信された赤外線信号を受信し、これを電気信号に変換してＣＰＵ１８へ伝達する。
【００２５】
ＣＰＵ１８は、チューナ１１と、ＭＰＥＧエンコーダ１２と、ＤＶＤドライブ１３と、ＭＰＥＧデコーダ１４と、表示制御部１５と、受信部１６とに接続され、これらに対して制御指示信号を伝達することで、各種動作を実行させている。
【００２６】
次に、ＤＶＤレコーダ１０が、ＤＶＤ−Ｒ４０の情報の編集を行う際の動作について説明する。ＤＶＤレコーダ１０は、ＤＶＤ−Ｒ４０の情報の編集を行う際に、該編集によって更新される編集情報をＤＶＤ−Ｒ４０の編集情報記録領域の未記録領域に追記するものとする。具体的には、例えば、ＤＶＤレコーダ１０は、ＤＶＤ−Ｒ４０に記録されたファイルの消去や分割を行う際に、該ファイルの消去や分割によって更新されるファイルの配置情報をＤＶＤ−Ｒ４０の編集情報記録領域の未記録領域に追記する。なお、ここで、放送情報などが記録されるデータ記録領域と、編集情報記録領域とは、重なる部分のない、別々の領域であることとする。
【００２７】
ＤＶＤレコーダ１０は、ＤＶＤ−Ｒ４０の情報の編集を行う際に、該編集によって更新される編集情報をＤＶＤ−Ｒ４０の編集情報記録領域の未記録領域に追記するので、編集を行う度に、ＤＶＤ−Ｒ４０の編集情報記録領域の未記録領域の容量が減少していくこととなり、ＤＶＤ−Ｒ４０の編集回数には限界がある。
【００２８】
そのため、ＤＶＤレコーダ１０のＣＰＵ１８は、ＤＶＤ−Ｒ４０の編集情報記録領域の未記録領域あるいは既記録領域の容量を計算し、表示制御部１５に、該計算結果に基づいた情報の表示を行わせる。この詳細について以下で説明する。
【００２９】
ＤＶＤレコーダ１０及びテレビジョン装置３０の電源が入力されているときに、ユーザがリモコン１７の入力キーの押下によってＤＶＤ−Ｒ４０の編集画面表示指令を行うと、編集画面表示指令を示す赤外線信号がリモコン１７から受信部１６へ送信される。受信部１６は、編集画面表示指令を示す赤外線信号を受信すると、これを電気信号に変換してＣＰＵ１８へ伝達する。
【００３０】
すると、ＣＰＵ１８は、表示制御部１５に、ＤＶＤ−Ｒ４０の編集画面の表示を行わせる。図２は、テレビジョン装置３０に表示されるＤＶＤ−Ｒ４０の編集画面を示す説明図である。ＤＶＤ−Ｒ４０の編集画面は、サムネイル表示部３１と、ファイル名表示部３２と、ファイル情報表示部３３と、編集容量表示部３４とを有する。
【００３１】
サムネイル表示部３１は、ＤＶＤ−Ｒ４０に記録されたファイルごとのサムネイルを表示する部分である。ファイル名表示部３２は、ＤＶＤ−Ｒ４０に記録されたファイルごとのファイル名を表示する部分である。ファイル情報表示部３３は、ＤＶＤ−Ｒ４０に記録されたファイルごとの各種情報（チャンネル情報、ジャンル情報、画質情報、記録日時情報）を表示する部分である。編集容量表示部３４は、ＣＰＵ１８の計算結果に基づいて、ＤＶＤ−Ｒ４０の編集情報記録領域の未記録領域あるいは既記録領域の容量の、編集情報記録領域全体の容量に対する割合を表示する部分である。
【００３２】
図２においては、編集容量表示部３４には、ＤＶＤ−Ｒ４０の編集情報記録領域の既記録領域（逆に見れば未記録領域）の容量の、編集情報記録領域全体の容量に対する割合（５０％）が、該割合を示す矩形で表示されている。
【００３３】
テレビジョン装置３０にＤＶＤ−Ｒ４０の編集画面が表示されているときに、ユーザがリモコン１７の入力キーの押下によってＤＶＤ−Ｒ４０の情報の編集指令を行うと、編集指令を示す赤外線信号がリモコン１７から受信部１６へ送信される。受信部１６は、編集指令を示す赤外線信号を受信すると、これを電気信号に変換してＣＰＵ１８へ伝達する。
【００３４】
すると、ＣＰＵ１８は、ＤＶＤドライブ１３に、編集によって更新される編集情報をＤＶＤ−Ｒ４０の編集情報記録領域の未記録領域に追記させる。そして、ＣＰＵ１８は、表示制御部１５に、ＤＶＤ−Ｒ４０の編集画面の更新を行わせる。具体的には、ＣＰＵ１８は、編集によって変化した編集情報記録領域の未記録領域あるいは既記録領域の容量を計算し、表示制御部１５に、編集容量表示部３４の表示内容の更新を行わせる。また、ＣＰＵ１８は、編集内容に応じて、表示制御部１５に、サムネイル表示部３１と、ファイル名表示部３２と、ファイル情報表示部３３との表示内容の更新を行わせる。
【００３５】
以上の、ＣＰＵ１８による、ＤＶＤ−Ｒ４０の編集画面に関する制御手順について以下で説明する。図３は、ＣＰＵ１８による、ＤＶＤ−Ｒ４０の編集画面に関する制御手順を示すフローチャートである。ＣＰＵ１８は、編集画面表示指令を受信すると（Ｓ１）、ＤＶＤ−Ｒ４０の編集情報記録領域の未記録領域あるいは既記録領域の容量を計算し（Ｓ２）、表示制御部１５に、該計算結果に基づいたＤＶＤ−Ｒ４０の編集画面の表示を行わせる（Ｓ３）。
【００３６】
次に、ＣＰＵ１８は、編集画面終了指令がなされたか否かを検出する（Ｓ４）。Ｓ４において、編集画面終了指令がなされた場合には、ＣＰＵ１８は、表示制御部１５に、ＤＶＤ−Ｒ４０の編集画面の表示を終了させる（Ｓ５）。一方、Ｓ４において、編集画面終了指令がなされていない場合には、ＣＰＵ１８は、編集指令がなされたか否かを検出する（Ｓ６）。Ｓ６において、編集指令がなされた場合には、ＣＰＵ１８は、ＤＶＤドライブ１３に、編集によって更新される編集情報をＤＶＤ−Ｒ４０の編集情報記録領域の未記録領域に追記させ（Ｓ７）、編集によって変化した編集情報記録領域の未記録領域あるいは既記録領域の容量を計算し（Ｓ８）、表示制御部１５に、該計算結果に基づいたＤＶＤ−Ｒ４０の編集画面の更新を行わせ（Ｓ９）、Ｓ４へ戻る。一方、Ｓ６において、編集指令がなされていない場合には、Ｓ４へ戻る。
【００３７】
上記実施形態に係るＤＶＤレコーダ１０は、ＤＶＤ−Ｒ４０の編集情報記録領域の未記録領域あるいは既記録領域の容量を計算するＣＰＵ１８と、ＣＰＵ１８の計算結果に基づいた情報を表示させる表示制御部１５とを有するので、ＤＶＤ−Ｒ４０の情報の編集が残りどれだけ可能かについての情報をユーザに知らせることができる。したがって、従来の情報編集装置において頻発した、ユーザが突然記録媒体の情報の編集が不可能になったことに気づくという問題の発生を防止できる。
【００３８】
また、上記実施形態に係るＤＶＤレコーダ１０においては、表示制御部１５は、ＤＶＤ−Ｒ４０の編集情報記録領域の未記録領域あるいは既記録領域の容量の、編集情報記録領域全体の容量に対する割合を表示させるので、ユーザは、ＤＶＤ−Ｒ４０の情報の編集が残りどれだけ可能かについての情報を容易に把握できる。
【００３９】
また、上記実施形態に係るＤＶＤレコーダ１０においては、表示制御部１５は、ＤＶＤ−Ｒ４０の編集情報記録領域の未記録領域あるいは既記録領域の容量の、編集情報記録領域全体の容量に対する割合を、該割合を示す図形によって表示させるので、ユーザは、ＤＶＤ−Ｒ４０の情報の編集が残りどれだけ可能かについての情報を視覚的に容易に把握できる。
【００４０】
なお、本発明は上記の実施形態に限定されず、本発明の趣旨を逸脱しない範囲で種々の変更が可能である。例えば、本発明の情報編集装置は、記録媒体の情報の編集を行う際に、該編集によって更新される編集情報を追記するものであればよく、ＣＤ−Ｒの記録再生装置などであってもよい。
【００４１】
また、本発明の情報編集装置は、放送情報などが記録されるデータ記録領域と、編集情報記録領域とが、重なる部分のない、別々の領域とされる記録媒体の情報の編集を行うものでなく、放送情報などと、編集情報とが混在して記録される記録領域を有する記録媒体の情報の編集を行うものであってもよい。この場合には、情報編集装置は、放送情報などと、編集情報とが混在して記録される記録領域の未記録領域あるいは既記録領域の容量を計算し、該計算結果に基づいた情報を表示させることとすればよい。
【００４２】
また、上記の実施形態に倣って、記録媒体の情報の編集を行う際に、該編集によって更新される編集情報を前記記録媒体に上書きする情報編集装置であって、前記記録媒体における、前記編集情報を記録可能な領域の未記録領域あるいは既記録領域の容量を計算する制御部と、前記制御部の計算結果に基づいた情報を表示させる表示制御部とを有することを特徴とする情報編集装置を構成することもできる。
【００４３】
この場合には、ＤＶＤ−ＲＷやＣＤ−ＲＷなどの記録媒体の情報の編集を行う際に、該編集によって更新される編集情報を記録媒体に上書きする情報編集装置においても、図２に示すような編集画面の表示が可能となる。
【産業上の利用可能性】
【００４４】
本発明は、記録媒体の情報の編集を行う際に、該編集によって更新される編集情報を記録媒体に追記する情報編集装置として有効である。また、本発明は、そのような情報編集装置の動作を制御するプログラムとして有効である。
【図面の簡単な説明】
【００４５】
【図１】本発明の実施形態に係るＤＶＤレコーダ１０の概略の構成を示すブロック図。
【図２】テレビジョン装置３０に表示されるＤＶＤ−Ｒ４０の編集画面を示す説明図。
【図３】ＣＰＵ１８による、ＤＶＤ−Ｒ４０の編集画面に関する制御手順を示すフローチャート。
【符号の説明】
【００４６】
１０    ＤＶＤレコーダ（情報編集装置）
１５    表示制御部
１８    ＣＰＵ（制御部）
４０    ＤＶＤ−Ｒ（記録媒体）
【図１】
2008108331.tif 000003
【図２】
2008108331.tif 000004
【図３】
2008108331.tif 000005